(57)【要約】【課題】光電センサーによる勾配屋根上の積雪の高さ検出が確実になされると共に、低燃費運転で良好な屋根融雪がなされる勾配屋根用融雪装置を提供すること。【解決手段】勾配屋根１軒先部に雪せき止め部２を設け、このせき止め部２でせき止めた雪を融雪する融雪装置部３を勾配屋根１に設け、この勾配屋根１の側面部１Ａに光電センサー５を備えた取付支柱４を立設し、この光電センサー５の近傍にヒータ７を設け、この光電センサー５が勾配屋根１上の積雪６を検出したとき融雪装置部３を運転制御する制御部８を備え、この制御部８に、光電センサー５が積雪６を検出したとき積雪状態か否かを判断する積雪判断機能と、融雪装置部３の融雪作用により光電センサー５が積雪６未検出となったとき融雪装置部３を延長運転制御する延長運転機能とを有する構成とする。【選択図】図１
0003132598.tif 000002
【実用新案登録請求の範囲】
【請求項１】
軒先側が下降傾斜する勾配屋根の軒先部上面に、この勾配屋根の上面を軒先側へ向かって滑落してくる雪をせき止めるせき止め部を設け、少なくともこのせき止め部でせき止めた雪を加熱して融雪する融雪装置部を前記勾配屋根に設けた勾配屋根用融雪装置において、前記勾配屋根上面の傾斜方向の側方に存する勾配屋根の側面部に、取付支柱を立設状態に固定し、この取付支柱の、前記勾配屋根の上面より上方の所定高さ位置に光電センサーを設けて、この光電センサーが、この光電センサーの高さ位置と同等の高さの勾配屋根上の積雪を検出するように構成し、この光電センサーに若しくは光電センサーの近傍にヒータを設けて、このヒータが光電センサーの投光・受光の障害となる雪や氷を融雪するように構成し、この光電センサーが積雪を未検出のときは前記融雪装置部を停止制御し且つ光電センサーが勾配屋根上の積雪を検出したときは融雪装置部を運転制御する制御部を備えると共に、この制御部は、前記光電センサーが積雪を検出したときに、この検出状態が所定時間継続することで積雪状態と判断して前記融雪装置部を運転制御する積雪判断機能と、前記融雪装置部の運転中に前記勾配屋根上の積雪が融雪することで前記光電センサーが積雪未検出となったときに、融雪装置部を延長運転制御して勾配屋根上の残積雪を融雪する延長運転時間を調整設定可能な延長運転機能とを有する構成としたことを特徴とする勾配屋根用融雪装置。
【請求項２】
前記積雪判断機能の積雪判断に要する時間を調整設定する積雪判断時間調整手段を前記制御部に有する構成としたことを特徴とする請求項１記載の勾配屋根用融雪装置。
【請求項３】
前記融雪装置部は、前記勾配屋根に設置する融雪パイプと、この融雪パイプ内に水を循環させるポンプ装置と、この融雪パイプ内の水を加熱して温水にするボイラー装置とから成る構成とし、この融雪装置部の前記ボイラー装置に異常が生じてボイラー装置がボイラー警報信号を発信したときに、前記ポンプ装置を停止制御する異常時ポンプ停止機能を前記制御部に有する構成としたことを特徴とする請求項１，２のいずれか１項に記載の勾配屋根用融雪装置。
【請求項４】
前記融雪装置部の前記ボイラー装置に異常が生じてボイラー装置がボイラー警報信号を発信したときに、ボイラー異常警報を表示若しくは警報音を発生するボイラー異常報知手段を前記制御部に有する構成としたことを特徴とする請求項３記載の勾配屋根用融雪装置。
【考案の詳細な説明】
【技術分野】
【０００１】
本考案は、切妻屋根などの軒先側が下降傾斜した勾配屋根用の融雪装置に関するものである。
【背景技術】
【０００２】
従来から、軒先側が下降傾斜する勾配屋根の軒先部上面に、この勾配屋根の上面を軒先側へ向かって滑落してくる雪をせき止めるせき止め部を設け、このせき止め部でせき止めた雪を加熱して融雪する融雪装置部を前記勾配屋根に設けた勾配屋根用融雪装置が実施されている（例えば、特許文献１参照。）。
【０００３】
【特許文献１】特開２０００−２４８６９３号公報
【考案の開示】
【考案が解決しようとする課題】
【０００４】
本考案は、前記特許文献１のような勾配屋根用の融雪装置の改良に係るもので、光電センサーによる勾配屋根上の積雪の高さ検出が確実になされると共に、低燃費運転で良好な屋根融雪がなされる実用性に秀れた勾配屋根用融雪装置を提案するものである。
【課題を解決するための手段】
【０００５】
添付図面を参照して本考案の要旨を説明する。
【０００６】
軒先側が下降傾斜する勾配屋根１の軒先部上面に、この勾配屋根１の上面を軒先側へ向かって滑落してくる雪をせき止めるせき止め部２を設け、少なくともこのせき止め部２でせき止めた雪を加熱して融雪する融雪装置部３を前記勾配屋根１に設けた勾配屋根用融雪装置において、前記勾配屋根１上面の傾斜方向の側方に存する勾配屋根１の側面部１Ａに、取付支柱４を立設状態に固定し、この取付支柱４の、前記勾配屋根１の上面より上方の所定高さ位置に光電センサー５を設けて、この光電センサー５が、この光電センサー５の高さ位置と同等の高さの勾配屋根１上の積雪６を検出するように構成し、この光電センサー５に若しくは光電センサー５の近傍にヒータ７を設けて、このヒータ７が光電センサー５の投光・受光の障害となる雪や氷を融雪するように構成し、この光電センサー５が積雪６を未検出のときは前記融雪装置部３を停止制御し且つ光電センサー５が勾配屋根１上の積雪６を検出したときは融雪装置部３を運転制御する制御部８を備えると共に、この制御部８は、前記光電センサー５が積雪６を検出したときに、この検出状態が所定時間継続することで積雪状態と判断して前記融雪装置部３を運転制御する積雪判断機能と、前記融雪装置部３の運転中に前記勾配屋根１上の積雪６が融雪することで前記光電センサー５が積雪６未検出となったときに、融雪装置部３を延長運転制御して勾配屋根１上の残積雪６を融雪する延長運転時間を調整設定可能な延長運転機能とを有する構成としたことを特徴とする勾配屋根用融雪装置に係るものである。
【０００７】
また、前記積雪判断機能の積雪判断に要する時間を調整設定する積雪判断時間調整手段９を前記制御部８に有する構成としたことを特徴とする請求項１記載の勾配屋根用融雪装置に係るものである。
【０００８】
また、前記融雪装置部３は、前記勾配屋根１に設置する融雪パイプ３Ａと、この融雪パイプ３Ａ内に水を循環させるポンプ装置３Ｂと、この融雪パイプ３Ａ内の水を加熱して温水にするボイラー装置３Ｃとから成る構成とし、この融雪装置部３の前記ボイラー装置３Ｃに異常が生じてボイラー装置３Ｃがボイラー警報信号を発信したときに、前記ポンプ装置３Ｂを停止制御する異常時ポンプ停止機能を前記制御部８に有する構成としたことを特徴とする請求項１，２のいずれか１項に記載の勾配屋根用融雪装置に係るものである。
【０００９】
また、前記融雪装置部３の前記ボイラー装置３Ｃに異常が生じてボイラー装置３Ｃがボイラー警報信号を発信したときに、ボイラー異常警報を表示若しくは警報音を発生するボイラー異常報知手段11を前記制御部８に有する構成としたことを特徴とする請求項３記載の勾配屋根用融雪装置に係るものである。
【考案の効果】
【００１０】
本考案は上述のように構成したから、勾配屋根の軒先から多量の雪が落下することが防止されるので、安全性が高く、また、この勾配屋根上の積雪は、光電センサーの高さ位置と同等の高さに達すると融雪装置部によって融雪されるが、光電センサーが雪を検出すると同時に融雪運転を開始するのではなく、積雪判断機能により検出した雪が確実に積雪であると判断されてから前記融雪装置部を運転制御するから、光電センサーの誤検出による頻繁な運転・停止を繰り返すような無駄がなく、的確に融雪運転を行うので低燃費運転が実現することになり、しかも、融雪運転により光電センサーが積雪未検出となると制御部が融雪装置部を停止制御するが、この際、延長運転機能により延長運転時間を設定しておけば、光電センサーより低くなった残積雪を更に融雪することができ、その上、本考案においては、光電センサーを設ける取付支柱が勾配屋根上面の傾斜方向の側方に存する勾配屋根の側面部に固定されているため、勾配屋根の上面を軒先側へ向かって滑落する雪によって取付支柱が曲げられたり倒されたりしにくく、光電センサーによる所定高さの積雪の有無の検出が正確に行われることになるなど、極めて実用性に秀れた勾配屋根用融雪装置となる。
【００１１】
また、請求項２記載の考案においては、降雪量などに応じて融雪運転開始までの時間を調整可能となる一層実用性に秀れた構成の勾配屋根用融雪装置となる。
【００１２】
また、請求項３記載の考案においては、融雪装置部を簡易に設計実現可能となる上、ボイラー装置が異常をきたすと同時にポンプ装置も自動停止するので、ポンプ装置だけが運転し続けることによる故障や結露の心配がない一層実用性に秀れた構成の勾配屋根用融雪装置となる。
【００１３】
また、請求項４記載の考案においては、ボイラー装置の異常がユーザーに確実に報知される一層実用性に秀れた構成の勾配屋根用融雪装置となる。
【考案を実施するための最良の形態】
【００１４】
好適と考える本考案の実施形態（考案をどのように実施するか）を、図面に基づいて本考案の作用を示して簡単に説明する。
【００１５】
勾配屋根１上の積雪６は、この勾配屋根１の上面を軒先側へ向かって滑落すると、勾配屋根１の軒先部のせき止め部２で落下をせき止められる。
【００１６】
従って、勾配屋根１の軒先から多量の雪が落下することが防止されるので、安全性が高い。
【００１７】
また、この勾配屋根１上の積雪６は、勾配屋根１の上面より上方の所定高さ位置に設けた光電センサー５の高さ位置と同等の高さに達すると、このことが光電センサー５に検出されて融雪装置部３が融雪運転を開始し、融雪が促進される。
【００１８】
更に具体的には、光電センサー５が雪を検出すると即座に融雪運転を開始するのではなく、積雪判断機能により、前記光電センサー５が積雪６を検出したときにこの検出状態が所定時間継続することで積雪状態と判断して前記融雪装置部３を運転制御する。
【００１９】
この積雪状況の判断を行うのは、光電センサー５は、その投光線上に雪が一粒でもあると反応（検出）してしまうため、降雪時に光電センサー５の前を雪が通ると融雪装置部３が運転開始して、光電センサー５の前を雪が通り過ぎると融雪装置部３が運転停止するというような頻繁な運転・停止を行わないようにするためである。
【００２０】
即ち、所定時間光電センサー５が積雪６を検出し続ければ、光電センサー５の前に所定高さの積雪６があると判断し、この判断に至った後に前記融雪装置部３による融雪運転が開始されるので、無駄な融雪運転のない低燃費運転が行われることになる。
【００２１】
この融雪運転により、勾配屋根１上の積雪６の融雪が促進することで前記光電センサー５が積雪６未検出となると、制御部８が融雪装置部３を停止制御する。
【００２２】
この際、延長運転機能により延長運転時間を設定しておけば、光電センサー５が積雪６を検出しなくなっても融雪装置部３は運転を停止せず、設定した延長時間運転後に運転停止するように制御部８が制御する。
【００２３】
この延長運転を行うのは、光電センサー５を勾配屋根１の上面より所定高さ位置に設けるため、この光電センサー５の設置高さによっては、光電センサー５が積雪６を検出しなくなっても勾配屋根１上にはまだかなりの積雪６が残っている場合があり、この残積雪６の融雪を行うためである。
【００２４】
また、本考案においては、光電センサー５を設ける取付支柱４が勾配屋根１上面の傾斜方向の側方に存する勾配屋根１の側面部１Ａに固定されているため、勾配屋根１の上面を軒先側へ向かって滑落する雪がこの取付支柱４に干渉しにくく、それ故取付支柱４が押し曲げられたり倒されたりしにくく、光電センサー５による所定高さの積雪６の検出が正確に行われる。
【００２５】
また、例えば、前記積雪判断機能の積雪判断に要する時間を調整設定する積雪判断時間調整手段９を前記制御部８に有する構成とすれば、降雪量などに応じて融雪運転開始までの時間を早くしたり遅くしたりと細かな調整が可能となるので、一層実用的となる。
【００２６】
また、例えば、前記融雪装置部３は、前記勾配屋根１に設置する融雪パイプ３Ａと、この融雪パイプ３Ａ内に水を循環させるポンプ装置３Ｂと、この融雪パイプ３Ａ内の水を加熱して温水にするボイラー装置３Ｃとから成る構成とすれば、簡易構造の融雪装置部３であるため本考案を容易に設計実現可能となる。
【００２７】
しかし、このような融雪装置部３構造を採用した場合、市販のボイラー装置３Ｃには、異常が生じるとボイラー警報信号を発して自動停止する安全機能が備わっているものが多いが、異常によりボイラー装置３Ｃが停止してポンプ装置３Ｂによる水の循環作動だけが継続していると、循環水の温度が低下して融雪パイプ３Ａに結露を引き起こすことがあり、この結露がボイラー装置内やポンプ装置内や建築物Ａ内の配管で生じると、故障や水漏れの原因となってしまうことがある。
【００２８】
そこで、例えば、ボイラー装置３Ｃに異常が生じてボイラー装置３Ｃがボイラー警報信号を発信したときに、前記ポンプ装置３Ｂを停止制御する異常時ポンプ停止機能を前記制御部８に有する構成とすれば、ボイラー装置３Ｃが異常をきたしてボイラー警報信号を発すると同時にポンプ装置８Ｂも自動停止するので、故障や水漏れの心配がなく、一層実用的な構成となる。
【００２９】
更に、例えば、前記融雪装置部３の前記ボイラー装置３Ｃに異常が生じてボイラー装置３Ｃがボイラー警報信号を発信したときに、ボイラー異常警報を表示若しくは警報音を発生するボイラー異常報知手段11を前記制御部８に有する構成とすれば、ボイラー装置３Ｃの異常がユーザーに確実に報知されるので、一層実用的となる。
【実施例】
【００３０】
本考案の具体的な実施例について図面に基づいて説明する。
【００３１】
本実施例は、図１に示すような切妻屋根（軒先側が下降傾斜する勾配屋根１）用の融雪装置に適用した場合を示しているもので、この勾配屋根１の軒先部上面に、この勾配屋根１の上面を軒先側へ向かって滑落してくる雪をせき止めるせき止め部２を設けると共に、このせき止め部２でせき止めた雪を加熱して融雪する融雪装置部３を勾配屋根１に設けている。
【００３２】
具体的には、本実施例のせき止め部２は、勾配屋根１の軒先側端部寄りの上面に、この勾配屋根１上面より直角に立設した雪止板で構成している。また、このせき止め部２は、軒先の幅方向の全域にわたって設けている。
【００３３】
また、このせき止め部２の軒先側には、三角形状のステー12を介して勾配屋根１の傾斜方向と同方向に傾斜すると共に、勾配屋根１の傾斜度合いよりも強い傾斜度を有する落雪傾斜面13を形成し、この落雪傾斜面13に積雪しても、傾斜度の強いこの落雪傾斜面13上を雪が自然に軒下へと滑落し易く、危険な雪庇などが形成されにくい構成としている。
【００３４】
また、せき止め部２近傍の勾配屋根１上面には排水口14を設け、この排水口14から建築物Ａの側壁に沿って縦設された排水管15を通って勾配屋根１上の雨水や融雪水などが排水される構成としている。
【００３５】
本実施例の融雪装置部３は、前記勾配屋根１に設置する融雪パイプ３Ａと、この融雪パイプ３Ａ内に水（不凍液などの液体でも良い。）を循環させるポンプ装置３Ｂと、この融雪パイプ３Ａ内の水を加熱して温水にするボイラー装置３Ｃとから成る構成とし、融雪パイプ３Ａにボイラー装置３Ｃで加熱した温水をポンプ装置３Ｂで循環させることで勾配屋根１上の積雪６を加熱して融雪を促進する構成としている。
【００３６】
また、本実施例では、融雪パイプ３Ａは、勾配屋根１の略全面と、前記せき止め部２とに埋設状態に設置して、勾配屋根１上の広範囲に融雪促進作用を付与する構成としている。尚、この広範囲の融雪を促進する構成は豪雪地域に適した仕様であって、積雪量の少ない地域では、例えばせき止め部２の近傍の範囲だけに融雪パイプ３Ａを設置するような構成でも良い。
【００３７】
また、図２では、ポンプ装置３Ｂとボイラー装置３Ｃとを屋内の地上付近に設置して、勾配屋根１に設置した融雪パイプ３Ａと導水パイプ３Ｄを介して連結した構成とした場合を示している。図中符号16はポンプ装置３Ｂやボイラー装置３Ｃや後述の制御部８などに電源を供給するための電源部、17はボイラー装置３Ｃの燃料供給タンクである。
【００３８】
また、本実施例では、前記勾配屋根１上面の傾斜方向の側方に存する勾配屋根１の側面部１Ａに、即ち切妻屋根１の螻羽の側面部１Ａに取付支柱４を立設状態に固定し、この取付支柱４の、前記勾配屋根１の上面より上方の所定高さ位置に光電センサー５を設けて、この光電センサー５が、この光電センサー５の高さ位置と同等の高さの勾配屋根１上の積雪６を検出するように構成している。
【００３９】
具体的には、切妻屋根１の螻羽の外側位置であって、切妻屋根１の傾斜方向の中程位置に、取付支柱４を立設状態に固定している。
【００４０】
また、この取付支柱４の、螻羽の側面部１Ａへの固定構造は、図３，図４に示すように、取付支柱４の中程と下端部とに突設した固定金具18を螻羽の破風板と、建築物Ａの外壁部とに固定した構造としている。
【００４１】
また、本実施例の取付支柱４は、パイプ状の下柱部４Ａの上部に、この下柱部４Ａよりも径小な上柱部４Ｂをスライド自在に挿通すると共に、この下柱部４Ａに対する上柱部４Ｂのスライド位置を締付ネジ４Ｃで位置決めし得る伸縮調整可能な構成としている。即ち、締付ネジ４Ｃを緩めることで取付支柱４は伸縮調整（高さ調整）可能で、この取付支柱４の伸縮調整により前記光電センサー５の高さを調整して、勾配屋根１上の積雪の検出高さを変更し得るように構成している。
【００４２】
この取付支柱４の上端部に、有底筒状のセンサーフード19を横設状態にして且つその開口部を勾配屋根１方向に向けて付設し、このセンサーフード19内に前記光電センサー５を、その投光・受光部がセンサーフード19の開口部方向を向くようにして収納状態に設けている。また、この光電センサー５は後述する制御部８に接続している。
【００４３】
また、このセンサーフード19内にヒータ７を設けて、このヒータ７が光電センサー５の投光・受光の障害となる雪や氷を融雪するように構成している。
【００４４】
本実施例では、この光電センサー５が積雪６を未検出のときは前記融雪装置部３を停止制御し且つ光電センサー５が勾配屋根１上の積雪６を検出したときは融雪装置部３を運転制御する制御部８を備えると共に、この制御部８は、前記光電センサー５が積雪６を検出したときに、この検出状態が所定時間継続することで積雪状態と判断して前記融雪装置部３を運転制御する積雪判断機能と、前記融雪装置部３の運転中に前記勾配屋根１上の積雪６が融雪することで前記光電センサー５が積雪６未検出となったときに、融雪装置部３を延長運転制御して勾配屋根１上の残積雪６を融雪する延長運転時間を調整設定可能な延長運転機能とを有する構成としている。
【００４５】
また、前記積雪判断機能の積雪判断に要する時間を調整設定する積雪判断時間調整手段９を前記制御部８に有する構成としている。
【００４６】
具体的には、制御部８は、演算装置等を採用して構成すると共に、図５に示すような制御用の融雪コントローラ８Ａを有する構成とし、この融雪コントローラ８Ａに積雪検出時間（監視時間）を１５秒から６０分の範囲で調整可能な前記積雪判断時間調整手段９としての調整ダイヤル９と、前記延長運転機能の延長運転時間を０から１８０分の範囲で調整可能な延長運転時間調整手段10としての調整ダイヤル10とを設けた構成としている。
【００４７】
また、融雪コントローラ８Ａには、制御部８による自動制御運転を行う自動スイッチ20と、強制的に融雪装置部３を運転する手動スイッチ21と、点灯することで融雪装置部３が運転中であることを表示する運転ランプ22と、点灯することで融雪装置部３が停止中であることを表示する停止ランプ23と、点灯することで前記光電センサー５が検出中であることを表示するセンサーランプ24と、光電センサー５で検出した積雪６の高さを表示する積雪表示ランプ25と、電源スイッチ26とを設けている。
【００４８】
この融雪コントローラ８Ａは、部屋内などのユーザーが操作し易い位置に設置することが好ましい。
【００４９】
この融雪コントローラ８Ａの前記自動スイッチ20を選択（押下操作）した場合の前記制御部８の制御について、図６のフローチャートを用いて具体的に説明する。
【００５０】
光電センサー５の前の投光線上に雪が存在すると（光電センサー５が雪によって遮蔽されると）、光電センサー５の投光が雪に反射し受光して光電センサー５が雪を検出するが、制御部８によりこの検出と同時に融雪装置部３が融雪運転を開始しないように制御される。
【００５１】
制御部８は、積雪判断機能により、この光電センサー５の検出状態が、前記積雪判断時間調整手段９（調整ダイヤル９）で調整設定した１５秒から６０分の範囲の所定時間継続することで積雪状態と判断して融雪装置部３の融雪運転を開始制御する。
【００５２】
この積雪状況の判断を行うのは、光電センサー５は、その投光線上に雪が一粒でもあると反応（検出）してしまうため、降雪時に光電センサー５の前を雪が通ると融雪装置部３が運転開始して、光電センサー５の前を雪が通り過ぎると融雪装置部３が運転停止するというような頻繁な運転・停止を行わないようにするためである。
【００５３】
即ち、所定時間光電センサー５が積雪６を検出し続ければ、光電センサー５の前に確実に所定高さの積雪６があるということが言えるので、これを積雪状態と判断する構成である。この制御により無駄な融雪運転がなく、低燃費運転が行われることになる。
【００５４】
融雪装置部３の融雪運転中、光電センサー５が積雪６を検出し続ける限りは融雪運転が継続し、この融雪運転により、勾配屋根１上の積雪６が融雪して光電センサー５が積雪６未検出となると、制御部８が融雪装置部３を停止制御するが、この際、前記延長運転時間調整手段10（調整ダイヤル10）で延長運転機能の延長運転時間を設定しておけば、光電センサー５が積雪６を未検出となっても、即座に融雪装置部３の運転を停止するようには制御されず、所定時間融雪装置部３を延長運転した後に運転停止するように制御部８が制御する。
【００５５】
この延長運転を行うのは、光電センサー５を勾配屋根１の上面より所定高さ位置に設けるため、この光電センサー５の設置高さによっては、光電センサー５が積雪６を検出しなくなっても勾配屋根１上にはまだかなりの積雪６が残っている場合があり、この残積雪６の融雪を行うためである。例えば、天候の良いときなどは、太陽光や気温上昇などにより自然と残積雪６の融雪が促進するので、あえてこの延長運転を行わなくても良い。
【００５６】
また、本実施例では、この融雪装置部３の前記ボイラー装置３Ｃに異常が生じてボイラー装置３Ｃがボイラー警報信号を発信したときに、前記ポンプ装置３Ｂを停止制御する異常時ポンプ停止機能と、ボイラー異常警報を表示し警報音を発生するボイラー異常報知手段11とを前記制御部８に有する構成としている。
【００５７】
具体的には、ボイラー異常報知手段11は、前記融雪コントローラ８Ａに点滅してボイラー装置３Ｃの異常を報知する警報ランプ11Ａと警報ブザーを発する図示省略のスピーカを設けて構成している。
【００５８】
ボイラー装置３Ｃに異常が発生した場合の前記制御部８の制御について、図７のフローチャートを用いて具体的に説明する。
【００５９】
融雪装置部３の融雪運転中にボイラー装置３Ｂに異常が生じると、ボイラー装置３Ｃは、自身に備えられた安全機能により自動停止すると共にボイラー警報信号を発信する。
【００６０】
このボイラー警報信号を制御部８が受信すると、前記融雪コントローラ８Ａに設けた警報ランプ11Ａを点滅させると共に警報ブザーを鳴動させるように制御して、ボイラー装置３Ｃの異常をユーザーに報知する。
【００６１】
同時にポンプ装置３Ｂを停止するように制御部８が制御する。
【００６２】
ボイラー装置３Ｃの異常停止に合わせてポンプ装置３Ｂを停止制御するのは、ボイラー装置３Ｃが停止してポンプ装置３Ｂによる水の循環作動だけが継続していると、循環水の温度が低下して低温（０℃）になった際に融雪パイプ３Ａに結露を引き起こすことがあり、この結露がポンプ装置３Ｂ内やボイラー装置３Ｃ内や建築物Ａ内の配管で生じると、故障や水漏れの原因となってしまう場合があり、これを防止するためである。
【００６３】
また、この際、ボイラー装置３Ｃがボイラー警報信号を継続して発信するように停止状態のまま運転を継続するように制御する。一般的な市販のボイラー装置３Ｃの中には、運転命令の信号が止まるとボイラー警報信号を止めてしまう機種もあり、このような機種を採用した場合においても、ボイラー警報信号が継続して発信されるようにするため、このような制御を行う構成としている。
【００６４】
本実施例では、このボイラー異常報知手段11の警報ブザーは、自動スイッチ20か手動スイッチ21を操作することで停止する構成としている。
【００６５】
ボイラー装置３Ｃからのボイラー警報信号が解除されると、制御部８が警報ランプ11Ａを消灯させると共に、ボイラー装置３Ｃの運転を停止させ停止ランプ23を点灯させるように制御して待機状態となる。
【００６６】
尚、本考案は、本実施例に限られるものではなく、各構成要件の具体的構成は適宜設計し得るものである。
【図面の簡単な説明】
【００６７】
【図１】本実施例の説明正面図である。
【図２】本実施例の概略説明図である。
【図３】本実施例の光電センサーの取付構造を示す部分拡大説明斜視図である。
【図４】本実施例の取付支柱の取付構造を示す説明側断面図ある。
【図５】本実施例の融雪コントローラを示す拡大説明図である。
【図６】本実施例の、自動運転時の制御を説明するチャート図である。
【図７】本実施例の、ボイラー装置異常時の制御を説明するチャート図である。
【符号の説明】
【００６８】
１  勾配屋根
１Ａ  側面部
２  せき止め部
３  融雪装置部
３Ａ  融雪パイプ
３Ｂ  ポンプ装置
３Ｃ  ボイラー装置
４  取付支柱
５  光電センサー
６  積雪
７  ヒータ
８  制御部
９  積雪判断時間調整手段
11  ボイラー異常報知手段
【図１】
0003132598.tif 000003
【図２】
0003132598.tif 000004
【図３】
0003132598.tif 000005
【図４】
0003132598.tif 000006
【図５】
0003132598.tif 000007
【図６】
0003132598.tif 000008
【図７】
0003132598.tif 000009